(57)【要約】　　　（修正有）【課題】治療導子をマット上の長さ方向に往復運動及び上下運動に運動可能に装着して、幹部を効果的に加圧・湿布することによって、使用が容易であり、治療効果をより向上させることができる温熱治療マットを提供すること。【解決手段】分離可能に形成された上体安着部１０と下体安着部２０とから成り上面には脊髄に対応する凹凸が形成されており、設置空間部１１の両側部にチェーン１５と平行に設置されたガイドレール１８と；前記チェーン１５に固定されチェーン１５の動きによって前記設置空間部１１を横方向に往復運動する移動体１４と；前記移動体１４に上下方向に運動可能に設置され、側面にはガイドレール１８上を走行する走行ローラー１３ｂが各々装着された固定板１３と；前記固定板１３の上面に固定され、チェーン１５の動きによって横方向に移動すると同時に、上下方向に運動し、患部を加圧・湿布する治療導子１２とを具備している。【選択図】　図３
2004097313.tif 000002
【特許請求の範囲】
【請求項１】
各種疾病予防及び治療のために使用され、分離可能に形成された上体安着部１０と下体安着部２０とから成った温熱治療マットにおいて：
前記上体安着部１０は、中央部位に形成された設置空間部１１の横方向の中心線上に位置した上下側に、各々回転可能に固定されたスプロケット１７と；前記スプロケット１７中の一側のスプロケットに結合されたモーター１９と；前記スプロケット１７を連結するチェーン１５と；上面には脊髄に対応する凹凸が形成されており、前記設置空間部１１の両側部に前記チェーン１５と平行に設置されたガイドレール１８と；前記チェーン１５に固定され、チェーン１５の動きによって前記設置空間部１１を横方向に往復運動する移動体１４と；前記移動体１４に上下方向に運動可能に設置され、側面にはガイドレール１８上を走行する走行ローラー１３が各々装着された固定板１３と；前記固定板１３の上面に固定され、チェーン１５の動きによって横方向に移動すると同時に、上下方向に運動し、患部を加圧・湿布する治療導子１２を具備していることを特徴とする温熱治療マット。
【請求項２】
前記固定板１３の底面には固定板１３と移動体１４間を互いに結合し、固定板１３の上下運動をガイドする多数のガイド棒１３ａが形成され、前記移動体１４には前記ガイド棒１３ａが上下に運動可能に挿入される多数の結合溝１４ａが形成されていることを特徴とする特許請求の範囲第１項に記載の温熱治療マット。
【請求項３】
前記ガイドレール１８の側面にはガイド溝１８ａが形成されており、前記移動体１４の両側面には前記ガイドレール１８のガイド溝１８ａに挿入され、このガイド溝１８ａに沿って移動するガイドローラー１４ｄが装着されていることを特徴とする特許請求の範囲第１項に記載の温熱治療マット。
【請求項４】
各種疾病の予防及び治療のために使用され、分離可能に形成された上体安着部１０と下体安着部２０とから成った温熱治療マットにおいて：
前記上体安着部１０は、中央部位に形成された設置空間部１１の横方向の中心線上に位置した上下側に、各々回転可能に固定されたプーリ１１７と；前記プーリ１１７中の一側のプーリに結合されたモーター１９と；前記プーリ１１７を連結するワイヤー１１５と；上面には脊髄に対応する凹凸が形成されており、前記設置空間部１１の両側部に前記ワイヤー１１５と平行に設置されたガイドレール１８と；前記ワイヤー１１５に固定され、ワイヤー１１５の動きによって前記設置空間部１１を横方向に往復運動する移動体１４と；前記移動体１４に上下方向に運動可能に設置され、側面にはガイドレール１８上を走行する走行ローラー１３ｂが各々装着された固定板１３と；前記固定板１３の上面に固定され、ワイヤー１１５の動きによって横方向に移動すると同時に、上下方向に運動しながら加圧・湿布する治療導子１２とを具備していることを特徴とする温熱治療マット。
【請求項５】
各種疾病の予防及び治療のために使用され、分離可能に形成された上体安着部１０と下体安着部２０とから成った温熱治療マットにおいて：
前記上体安着部１０は、中央部位に形成された設置空間部１１の横方向の中心線上に位置した上下側の固定ブラケット２１６に両端が回転可能に固定された移送軸２１５と；前記移送軸２１５の一端に結合されたモーター１９と；上面には脊髄に対応する凹凸が形成されており、前記設置空間部１１の両側部に前記移送軸２１５と平行に設置されたガイドレール１８と；前記移送軸２１５に螺旋結合され、移送軸２１５の回転によって前記設置空間部１１を横方向に往復運動する移動体１４と；前記移動体１４に上下方向に運動可能に設置され、側面にはガイドレール１８上を走行する走行ローラー１３ｂが各々装着された固定板１３と；前記固定板１３の上面に固定され、移送軸２１５の回転によって横方向に移動すると同時に、上下方向に運動しながら患部を加圧・湿布する治療導子１２とを具備していることを特徴とする温熱治療マット。
【請求項６】
前記下体安着部２０は、中央部位に形成された設置空間部２１の横方向の中心線上に位置した上下側に、各々回転可能に固定されたスプロケット２５と；前記スプロケット２５中の一側のスプロケットに回転軸を介して結合された移動レバー２９と；前記スプロケット２５を連結するチェーン２３と；前記スプロケット２５の間に横方向に固定されたガイドレール２６と；前記チェーン２３と結合され、前記ガイドレール２６の上面にスライディング可能に装着された安着板２７と；前記安着板２７の上面に固定され、チェーン２３の動きによって設置空間部２１を横方向に往復移動しながら患部を加圧・湿布する治療導子２２と；治療導子とリモコンなどの治療アクセサリーのための収納空間部２８とを具備していることを特徴とする特許請求の範囲第１項、第４項叉は第５項のいずれかに記載の温熱治療マット。
【発明の詳細な説明】
〔発明の目的〕
〔発明の属する技術分野及び従来の技術〕
本発明は、温熱治療マットに関するもので、特に治療導子を横方向に往復運動させると同時に上下方向に運動させ、患部を効果的に加圧・湿布することによって、使用が容易で、治療効果を向上させることのできる温熱治療マットに関するものである。
【０００１】
一般的に、家庭などで最も広く使用されている物理治療器としては、ヘリウムランプ、赤外線ランプなどを用いて使用者の患部を加圧・湿布する温熱治療器と、高周波ランプを利用する高周波治療器などがある。
【０００２】
このような温熱治療器、叉は高周波治療器を使用するためには、該当治療器を使用者の脊髄の節の経穴に正確に位置させ、光り叉は高周波を使用者の患部に一定時間照射した後、次の脊髄の節に治療器を移動させ、同一な方式で治療を行わなければならない。
【０００３】
しかし、前記のような治療方法は、使用者が直接治療器を脊髄の節に位置させた後、一定時間が経過したら、再び治療器を次の脊髄の節に移動させなければならないので、使用が不便であるだけでなく、使用者が脊髄の節の経穴に治療器を正確に位置させることができないので、治療効果を極大化することができないという問題点があった。
【０００４】
〔発明が解決しようとする技術的課題〕
そこで、本発明は、前記のような問題点を解決するために発明されたもので、患部を加圧・湿布する治療導子をマット上の長さ方向に往復移動及び上下方向に運動可能に装着し、患部を効果的に加圧・湿布することによって、使用が容易であり、治療効果をより向上させることのできる温熱治療マットを提供することをその目的とする。
【０００５】
前記のような目的を達成するための本発明の温熱治療マットは、各種疾病の予防及び治療のために使用され、分離可能に形成された上体安着部と下体安着部とから成った温熱治療マットにおいて：前記上体安着部は、中央部位に形成された設置空間部の横方向の中心線上に位置した上下側に、各々回転可能に固定されたスプロケットと；前記スプロケット中の一側のスプロケットに結合されたモーターと；前記スプロケットを連結するチェーンと；上面には脊髄に対応する凹凸が形成されており、前記設置空間部の両側部に前記チェーンと平行に設置されたガイドレールと；前記チェーンに固定され、チェーンの動きによって前記設置空間部を横方向に往復運動する移動体と；前記移動体に上下方向に運動可能に設置され、側面にはガイドレール上を走行する走行ローラーが各々装着された固定板と；前記固定板の上面に固定され、チェーンの動きによって横方向に移動すると同時に、上下方向に運動し、患部を加圧・湿布する治療導子とを具備していることを特徴とする。
【０００６】
また、前記固定板の底面には固定板と移動体間を互いに結合し、固定板の上下運動をガイドする多数のガイド棒が形成され、前記移動体には前記ガイド棒が上下に運動可能に挿入される多数の結合溝が形成されていることを特徴とする。
【０００７】
また、前記ガイドレールの側面にはガイド溝が形成されており、前記移動体の両側面には前記ガイドレールのガイド溝に挿入され、このガイド溝に沿って移動するガイドローラーが装着されていることを特徴とする。
【０００８】
また、前記下体安着部は、中央部位に形成された設置空間部の横方向の中心線上に位置した上下側に、各々回転可能に固定されたスプロケットと；前記スプロケット中の一側のスプロケットに回転軸を介して結合された移動レバーと；前記スプロケットを連結するチェーンと；前記スプロケットの間に横方向に固定されたガイドレールと；前記チェーンと結合され、前記ガイドレールの上面にスライディング可能に装着された安着板と；前記安着板の上面に固定され、チェーンの動きによって設置空間部を横方向に往復移動しながら患部を加圧・湿布する治療導子と；治療導子とリモコンなどの治療アクセサリーのための収納空間部とを具備していることを特徴とする。
【０００９】
〔発明の構成〕
以下、本発明の好ましい実施例を添付の図面を参照に詳細に説明すると、次のとおりである。
【００１０】
図１は、本発明による温熱治療マットの斜視図で、本発明のマット１は分離可能に形成された上体安着部１０と下体安着部２０とから構成されているのだが、前記上体安着部１０と下体安着部２０は各々脱着可能な皮叉は織物などの外皮で覆われており、且つ前記上体安着部１０の一側面には患部を加圧・湿布する治療導子の作動及び温度設定のためのコントロール部３０が設置されている。
【００１１】
図２は、図１に示された温熱治療マットの外皮を取り除いた状態の斜視図で、上体安着部１０と下体安着部２０の中央部位には、上体及び下体の患部を加圧・湿布する治療導子１２、２２が装着される設置空間部１１、２１が各々形成されており、この設置空間部１１、２１内に前記治療導子１２、２２が長さ方向に往復運動及び上下方向に運動可能に装着される。
【００１２】
これを図３乃至図９を参照に詳細に説明する。
【００１３】
図３乃至図６は、上体用治療導子１２の装着状態を説明するための図面で、図３は本発明による温熱治療マットの上体安着部の要部分解斜視図で、図４は治療導子を取り除いた状態の上体安着部の平面図で、図５は状態安着部の横断面図で、図６（ａ）及び図６（ｂ）は上体安着部の縦断面図である。
【００１４】
図面に図示されているように、上体安着部１０の設置空間部１１の横方向の中心線上に位置した上下側には、各々固定ブラケット１６により支持されるスプロケット１７が設置されており、一側スプロケット１７にはモーター１９の回転軸が結合されている。従って、前記スプロケット１７を連結するチェーン１５は、モーター１９の正逆回転によってマット１の横方向に運動することになる。
【００１５】
一方、上面に脊髄に対応する凹凸の形成されたガイドレール１８が前記設置空間部１１の両側部にチェーン１５と平行に設置されているのだが、このガイドレール１８の側面には横方向にガイド溝１８ａが形成されている。
【００１６】
患部を加圧・湿布する治療導子１２は固定板１３の上面に固定され、この固定板１３はチェーン１５の動きによって設置空間部１１を横方向に往復運動する移動体１４に結合される。
【００１７】
つまり、前記固定板１３の底面には、固定板１３と移動体１４間を互いに結合し、固定板１３の上下運動をガイドする多数のガイド棒１３ａが形成されており、且つ前記固定板１３の両側にはガイドレール１８上を走行する走行ローラー１３ｂが各々装着されている。
【００１８】
一方、固定板１３が結合される移動体１４には、前記ガイド棒１３ａが上下に運動可能に挿入される多数の結合溝１４ａが形成されており、中央にはチェーン１５の端部が固定される固定溝１４ｂと前記チェーン１５が貫通する貫通ホール１４ｃが各々形成されている。また、前記移動体１４の両側面には、ガイドレール１８の側面に形成されたガイド溝１８ａに挿入され、このガイド溝１８ａに沿って移動するガイドローラー１４ｄが装着されている。
【００１９】
従って、移動体１４のガイドローラー１４ｄをガイドレール１８のガイド溝１８ａに挿入し、前記移動体１４の貫通ホール１４ｃにチェーン１５を挿入して、各々スプロケット１７に結合した後、固定具１４ｅを用いてチェーン１５の両端を移動体１４の固定溝１４ｂに固定すると、移動体１４はチェーン１５の動きによってガイドレール１８に沿って横方向に移動することになる。
【００２０】
また、患部を加圧・湿布する治療導子１２が結合された固定板１３のガイド棒１３ａを移動体１４の結合溝１４ａに挿入すると、前記固定板１３の走行ローラー１３ｂがガイドレール１８の上面に位置されることになる。従って、前記のようにチェーン１５が運動し、移動体１４がガイドレール１８に従い横方向に移動すると、固定板１３の走行ローラー１３ｂが凹凸の形成されたガイドレール１８上を走行することによって、治療導子１２が固定板１３を中心に図６（ａ）及び図６（ｂ）に図示されているように上下方向に運動し、患部である脊髄の節節を加圧・湿布することになる。
【００２１】
未説明の図面符号１６は移動体１４の移動区間を制限するためのリミットスイッチを示したものである。
【００２２】
図７乃至図９は、下体用治療導子２２の装着状態を説明するための図面で、図７は下体安着部の要部分解斜視図で、図８は下体安着部の横断面図で、図９は下体安着部の縦断面図である。
【００２３】
図面に図示されているように、下体安着部２０の設置空間部２１の横方向の中心線上に位置した上下側には、各々固定ブラケット２４により支持されるスプロケット２５が設置されており、一側のスプロケット２５には図示されていない回転軸を介して移動レバー２９が結合されている。
【００２４】
一方、前記スプロケット２５の間には、下部に横方向の貫通溝２６ａの形成されたガイドレール２６が横方向に固定されているのだが、このガイドレール２６の上面に患部を加圧・湿布する治療導子２２が固定される安着板２７がスライディング可能に装着される。
【００２５】
つまり、ガイドレール２６の下部に形成された貫通ホール２６ａにチェーン２３を挿入してスプロケット２５に締結し、治療導子２２が固定された安着板２７をスプロケット２５の間に設置されたガイドレール２６上に装着した後、前記チェーン２３の両端を固定具２３ａを用いて安着板２７に固定すると、チェーン２３の運動に従い安着板２７がガイドレール２６上を横方向に移動し、患部である下体部を加圧・湿布することになる。
【００２６】
また、下体安着部２０の一側に治療導子とリモコンなどの治療アクセサリーのための収納空間部２８を形成すると、治療アクセサリーの保管及び管理が容易であり、治療アクセサリーの紛失を予防することができる。
【００２７】
図１０及び図１１は、本発明の第２実施例による温熱治療マットを示した図面で、図１０はマットの外皮と治療導子を取り除いた状態の上体安着部の平面図であり、図１１は上体安着部の横断面図である。
【００２８】
図面に図示されているように、本実施例のマットは、ワイヤー１１５を介して移動体１４を横方向に運動させる構成を除いては、前記の実施例とその構成が同一である。つまり、上体安着部１０の設置空間部１１の横方向の中心線上に位置した上下側のブラケット１１６にプーリ１１７を固定し、このプーリ１１７にワイヤー１１５を結合して、モーター１９の駆動によって治療導子１３をマット１の横方向に運動させる。
【００２９】
図１２及び図１３は、本発明の第３実施例による温熱治療マットを示した図面で、図１２はマットの外皮と治療導子を取り除いた状態の上体安着部の平面図であり、図１３は上体安着部の横断面図である。
【００３０】
図面に図示されているように、本実施例のマットは、移動体１４を移送軸１１５に螺旋結合し横方向に運動させる構成を除いては、前記の実施例とその構成が同一である。つまり、上体安着部１０の設置空間部１１の横方向の中心線上に位置した上下側の固定ブラケット２１６に螺旋軸を回転可能に結合するのだが、前記移送軸１１５の一側をモーター１９の回転軸に結合した。従って、モーター１９の駆動によって移送軸１１５が回転し、これに連動して移動体１４と治療導子１３がマット１の横方向に運動することになる。
【００３１】
前記第２及び第３実施例では、上体安着部１０の構成に対してのみ説明したが、前記の実施例を介して下体安着部２０の治療導子２２もワイヤーと移送軸を介してマット１の横方向に運動させることができる。
【００３２】
【発明の効果】
前記のように、本発明は、横方向に往復運動し、上下方向に運動して、上体部及び下体部を加圧・湿布するように治療導子を上体安着部及び下体安着部に各々装着することによって、全身治療が可能であり、使用が容易で、治療効果を極大化させることができる。並びに、治療導子などの各種治療アクセサリーを保管することのできる収納空間部を具備することによって、各種治療アクセサリーなどの保管及び管理が容易であるというメリットを有している
本発明は、図示された実施例を参考に説明したが、これは例示的なものに過ぎず、当該技術分野で通常の知識を有した者ならば、これより多様な変更及び均等な他実施例が可能であるという点が理解できるであろう。従って、本発明の真なる技術的保護範囲は、添付の特許請求の範囲によってのみ定められるべきである。
【図面の簡単な説明】
【図１】本発明による温熱治療マットの斜視図である。
【図２】図１のマットの外皮を取り除いた状態の斜視図である。
【図３】図１のマットの上体安着部の要部分解斜視図である。
【図４】図１のマットの上体安着部の平面図である。
【図５】図１のマットの上体安着部の横断面図である。
【図６】図６（ａ）及び図６（ｂ）は図１のマットの上体安着部の縦断面図である。
【図７】図１のマットの下体安着部の要部分解斜視図である。
【図８】図１のマットの下体安着部の横断面図である。
【図９】図１のマットの下体安着部の縦断面図である。
【図１０】本発明の別の実施例による温熱治療マットを示したもので、マットの外皮を取り除いた状態の上体安着部の平面図である。
【図１１】図１０のマットの上体安着部の横断面図である。
【図１２】本発明の別の実施例による温熱治療マットを示したもので、マットの外皮を取り除いた状態の上体安着部の平面図である。
【図１３】図１２のマットの上体安着部の横断面図である。
【図１】
2004097313.tif 000003
【図２】
2004097313.tif 000004
【図３】
2004097313.tif 000005
【図４】
2004097313.tif 000006
【図５】
2004097313.tif 000007
【図６】
2004097313.tif 000008
【図７】
2004097313.tif 000009
【図８】
2004097313.tif 000010
【図９】
2004097313.tif 000011
【図１０】
2004097313.tif 000012
【図１１】
2004097313.tif 000013
【図１２】
2004097313.tif 000014
【図１３】
2004097313.tif 000015